(57)【要約】      （修正有）【課題】特に使用者がレッグスライドシート上をスライド動作することができると共に、衝撃を和らげることにより、使用者を怪我から守ることができるレッグスライドシート用固定部材を提供する。【解決手段】底板と、該底板の表面に凸設される位置決め凸部３１と、該底板の両端表面にそれぞれ凸設される側壁部３２と、該２つの側壁部３２の間に形成される収容空間とを備える細長状の固定ベース３０と、該位置決め凸部３１を挿入するための位置決め孔４４が形成されると共に、該収容空間に収容される、弾性を有する細長状の緩衝カバー４０とを有するものである。【選択図】図１
0003164125.tif 000002
【実用新案登録請求の範囲】
【請求項１】
底板と、該底板の表面に凸設される位置決め凸部と、該底板の両端表面にそれぞれ凸設される側壁部と、該２つの側壁部の間に形成される収容空間とを備える細長状の固定ベースと、
該位置決め凸部を挿入するための位置決め孔が形成されると共に、該収容空間に収容される、弾性を有する細長状の緩衝カバーとを有することを特徴とするレッグスライドシート用固定部材。
【請求項２】
前記固定ベースは、前記底板の底面形状と対応し、該底板の底面に設置される挟持板を備えることを特徴とする請求項１に記載のレッグスライドシート用固定部材。
【請求項３】
前記緩衝カバーは、直線状を呈する内側壁と、該内側壁と連設する上面部と、該上面部と連設すると共に、高さが該内側壁より高く、略弓形を呈する外側壁とを備え、その内、該上面部の両側と内側壁及び外側壁との連結箇所にそれぞれ、スムーズなＲ部が形成されることを特徴とする請求項１又は２に記載のレッグスライドシート用固定部材。
【請求項４】
前記緩衝カバーはソリッド状であり、接着剤により前記固定ベースに固着されることを特徴とする請求項３に記載のレッグスライドシート用固定部材。
【請求項５】
前記底板の底面における中央部及び両側近傍に複数の結合凸柱が凸設され、該各結合凸柱の底面にネジ孔が凹設されることを特徴とする請求項４に記載のレッグスライドシート用固定部材。
【請求項６】
前記挟持板は、複数の結合孔と、複数のネジとを備え、該複数の結合孔はそれぞれ、前記結合凸柱のネジ孔と対応する箇所に形成され、該複数のネジはそれぞれ、結合孔を介して該結合凸柱のネジ孔に螺合することにより、該挟持板を前記底板の底面に結合することを特徴とする請求項５に記載のレッグスライドシート用固定部材。
【請求項７】
前記緩衝カバーが弾性を有する発泡材料からなることを特徴とする請求項６に記載のレッグスライドシート用固定部材。
【考案の詳細な説明】
【技術分野】
【０００１】
本考案は、特に使用者がレッグスライドシート上をスライド動作することができると共に、衝撃を和らげる効果を有するレッグスライドシート用固定部材に関するものである。
【背景技術】
【０００２】
スケートボードは通常、ボードに車輪が付いた乗り物であり、また、このスケートボードに乗ることはスケートボーディングと呼ばれ、若者に大人気なスポーツである。しかし、スケートボーディングは、他のスポーツよりジャンプなどの危険動作が多いことから、優れたバランス感覚を身に着けなければ、スケートボードから転落して怪我をしてしまう恐れがある。そこで、バランスよくスケートボードに乗るためのバランスの訓練をするために、近年レッグスライドシートという商品が開発された。
【０００３】
前記レッグスライドシートは、滑らかな表面を備えることから、使用者は、直接にレッグスライドシート上においてスライド動作をすることができるので、バランスの訓練をすることができる。さらに、この使用者が安全にレッグスライドシート上でスライド動作をできるようにするために、レッグスライドシートの両端にそれぞれ、シートを固定するための長細状の固定部材が設置され、これにより、使用者は、シート上の２つの固定部材の間においてスライド動作をスムーズに行うことができる。
【考案の概要】
【考案が解決しようとする課題】
【０００４】
しかしながら、現在のレッグスライドシートにおける固定部材は、硬質材料からなることから、不注意で足などをぶつけると、使用者が怪我をしてしまう虞があるため、改善する必要があった。
【課題を解決するための手段】
【０００５】
本考案に係るレッグスライドシート用固定部材は、固定ベースと、緩衝カバーとを有し、その内、該固定ベースは、細長状を呈し、底板と、該底板の表面に凸設される位置決め凸部と、該底板の両端表面にそれぞれ凸設される側壁部と、該２つの側壁部の間に形成される収容空間とを備え、該緩衝カバーは、弾性を有する細長状を呈するものであり、該位置決め凸部を挿入するための位置決め孔が形成されると共に、該収容空間に収容されるものである。
【０００６】
また、レッグスライドシート用固定部材における前記固定ベースには、レッグスライドシートを固定するために、該底板の底面に、その形状と対応する挟持板が設置され、これによれば、該レッグスライドシートの両側部を該底板と該挟持板とで固定することができる。
【０００７】
本考案の実施例においては、前記緩衝カバーは、直線状を呈する内側壁と、該内側壁と連設する上面部と、該上面部と連設すると共に、高さが該内側壁より高く、略弓形を呈する外側壁とを備え、その内、該上面部の両側と、内側壁及び外側壁との連結箇所にそれぞれ、スムーズなＲ部が形成される。
【０００８】
尚、前記緩衝カバーは、接着剤により前記固定ベースに固着されるソリッド状のものであっても構わない。
【０００９】
また、本考案の実施例では、前記固定ベースと緩衝カバーとを固定するために、複数の結合凸柱がそれぞれ前記底板の中央底面及び両側底面に凸設されると共に、該各結合凸柱の底面にネジ孔が形成される構成を有する。
【００１０】
前記挟持板は、複数の結合孔と、複数のネジとを備え、該複数の結合孔はそれぞれ、前記結合凸柱のネジ孔と対応する箇所に形成され、該複数のネジはそれぞれ、結合孔を介して該結合凸柱の複数のネジ孔に螺合することにより、該挟持板を前記底板の底面に結合する。
【００１１】
尚、前記緩衝カバーは、外力による衝撃を和らげるために、弾性を有する発泡材料からなることが好ましい。
【考案の効果】
【００１２】
本考案に係るレッグスライドシート用固定部材は上記の課題を解決するものであり、レッグスライドシートの両側をしっかりと固定できると共に、弾性を有する緩衝カバーが設置されることから、不注意で固定部材に接触しても、その衝撃を和らげることができるので、使用者が怪我をする心配はない。
【図面の簡単な説明】
【００１３】
【図１】本考案に係るレッグスライドシート用固定部材の斜視図である。
【図２】本考案に係る他のレッグスライドシート用固定部材における斜視図である。
【図３】本考案に係るレッグスライドシート用固定部材の部分分解図である。
【図４】本考案に係るレッグスライドシート用固定部材の部分断面図である。
【図５】本考案に係るレッグスライドシート用固定部材においてレッグスライドシートを組み立てる状態を示す斜視図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図４に示すように、本考案に係るレッグスライドシート用固定部材は、固定ベース３０と、緩衝カバー４０とを有し、その内、該固定ベース３０は、細長状を呈すると共に、硬質材料からなり、底板と、該底板の中央表面に凸設される細長状の位置決め凸部３１と、該底板の両端表面にそれぞれ凸設される側壁部３２と、該位置決め凸部３１の周囲に位置すると共に、該２つの側壁部３２の間に形成される収容空間３３と、該底板の底面における長手方向に沿ってそれぞれ間隔をおいて凸設される複数の結合凸柱３４とを備えるものであり、該各結合凸柱３４の底面にネジ孔３５が形成され、該複数の結合凸柱３４はそれぞれ、前記底板における中央底面及び両側底面に凸設される。
【００１６】
さらに、前記固定ベース３０は、挟持板３６と、複数のネジ３８と、複数のガスケット３９とを有し、その内、該挟持板３６は、細長状を呈すると共に、前記底板の底面形状と対応するように該底板の底面に設置され、複数の結合孔３７がそれぞれ、前記結合凸柱３４のネジ孔３５と対応するように、長手方向に沿って間隔をおいて穿設されるものであり、該複数のネジ３８はそれぞれ、該挟持板３６の複数の結合孔３７を介して該結合凸柱３４の複数のネジ孔３５と螺合することにより、挟持板３６を底板の底面に結合し、また、該複数のガスケット３９はそれぞれ、該挟持板３６の複数の結合孔３７と対応するように、該ネジ３８と挟持板３６との間に設置される。
【００１７】
前記緩衝カバー４０は、細長状で、内部まで弾性を有する緩衝材（例えば、発泡材料）からなるソリッド状のものであり、前記位置決め凸部３１をカバーする、前記固定ベース３０の収容空間３３に収容される。尚、前記緩衝カバー４０は、接着剤により前記固定ベース３０に固着されてもよく、さらに、前記緩衝カバー４０は、直線状を呈する内側壁４１と、該内側壁４１と連設する上面部４２と、該上面部４２と連設すると共に、高さが該内側壁４１より高く、略弓形を呈する外側壁４３と、該上面部４２の中央に形成され、前記位置決め凸部３１を挿入するための細長状の位置決め孔４４とを備え、該上面部４２の両側における、該内側壁４１と外側壁４３との連結箇所にそれぞれスムーズなＲ部が形成される。
【００１８】
図４及び図５に示すように、本考案に係るレッグスライドシート用固定部材を使用する時は、２つの固定部材をそれぞれレッグスライドシート７０の両側に設置するが、この時、該レッグスライドシート７０は、固定ベース３０の底板と挟持板３６との間に位置させ、レッグスライドシート７０の貫通孔と結合凸柱３４のネジ孔３５及び挟持板３６の結合孔３７とを対応させ、ネジ３８をガスケット３９と、挟持板３６の結合孔３７と、レッグスライドシート７０の貫通孔とを貫いて、結合凸柱３４のネジ孔３５に螺合することにより、該レッグスライドシート７０を固定ベース３０に固定する。このように、この構成によれば、レッグスライドシート７０の両側を固定ベース３０の底板と挟持板３６との間に挟装することができる。
【００１９】
これにより、使用者は、２つの固定部材との間に固定されるレッグスライドシート７０上をスライド動作することができるので、スケートボーディングためのバランス訓練を行うことができる。さらに、前記緩衝カバー４０は、弾性を有する発泡材料からなることから、不注意で身体の一部（例えば、足など）が接触したとしても、その衝撃を和らげるので、使用者が怪我をする心配もない。
【産業上の利用可能性】
【００２０】
本考案は上記の構成を有することから、レッグスライドシートの両側をしっかりと固定できると共に、弾性を有する緩衝カバーが設置されることから、不注意で固定部材に接触しても、その衝撃を和らげることができるので、使用者が怪我をする心配はない。
【符号の説明】
【００２１】
３０      固定ベース
４０      緩衝カバー
３１      位置決め凸部
３２      側壁部
３３      収容空間
３４      結合凸柱
３５      ネジ孔
３６      挟持板
３７      結合孔
３８      ネジ
３９      ガスケット
４０      緩衝カバー
４１      内側壁
４２      上面部
４３      外側壁
４４      位置決め孔
７０      レッグスライドシート
【図１】
0003164125.tif 000003
【図２】
0003164125.tif 000004
【図３】
0003164125.tif 000005
【図４】
0003164125.tif 000006
【図５】
0003164125.tif 000007